(57)【特許請求の範囲】
【請求項１】
通信機能を備える携帯端末装置において、
着信時に無音報知するマナーモード機能が有効に設定されているか否かを判別するモード判別手段と、
前記モード判別手段によりマナーモード機能が有効に設定されていないと判別された場合には予め設定された報知方法で着信報知し、一方、マナーモード機能が有効に設定されていると判別された場合には無音で着信報知する着信報知手段と、
前記モード判別手段によりマナーモード機能が有効に設定されていると判別され、かつ照明点灯して表示画面を表示する場合に、自装置周囲の明るさ又はＧＰＳ信号に基づく現在位置の何れかを検出する状況検出手段と、
前記状況検出手段により検出された明るさが所定照度以下又は前記状況検出手段により検出された現在位置が予め定められた特定位置の何れかである場合に、表示画面の表示色を低明度色に変更し、当該表示画面を照光する照明の輝度を低減する表示制御手段と
を具備することを特徴とする携帯端末装置。
【請求項２】
表示色変更の無効を指示する指示手段と、
この指示手段の無効指示に応じて、表示画面の表示色を低明度色に変更し、当該表示画面を照光する照明の輝度を低減する前記表示制御手段の動作を無効化する無効化手段と
を更に具備することを特徴とする請求項１記載の携帯端末装置。
【請求項３】
通信機能を備える携帯端末装置において、
着信時に無音報知するマナーモード機能が有効に設定されているか否かを判別するモード判別手段と、
前記モード判別手段によりマナーモード機能が有効に設定されていないと判別された場合に、予め設定された音あるいは光による報知方法で着信報知する第１の着信報知手段と、
前記モード判別手段によりマナーモード機能が有効に設定されていると判別された場合に、自装置周囲の明るさ又は自装置周囲の音量の何れかを検出する状況検出手段と、
前記状況検出手段により検出された明るさが所定照度以下又は前記状況検出手段により検出された音量が所定音量以上の何れかである場合には振動による着信報知を行い、一方、前記状況検出手段により検出された明るさが所定照度を超えるか又は前記状況検出手段により検出された音量が所定音量未満の何れかの場合には光および振動による着信報知を行う第２の着信報知手段と
を具備することを特徴とする携帯端末装置。
【請求項４】
通信機能を備える携帯端末装置で実行されるプログラムであって、
着信時に無音報知するマナーモード機能が有効に設定されているか否かを判別するモード判別ステップと、
前記モード判別ステップにてマナーモード機能が有効に設定されていないと判別された場合には予め設定された報知方法で着信報知し、一方、マナーモード機能が有効に設定されていると判別された場合には無音で着信報知する着信報知ステップと、
前記モード判別ステップにてマナーモード機能が有効に設定されていると判別され、かつ照明点灯して表示画面を表示する場合に、自装置周囲の明るさ又はＧＰＳ信号に基づく現在位置の何れかを検出する状況検出ステップと、
前記状況検出ステップにより検出された明るさが所定照度以下又は前記状況検出ステップにより検出された現在位置が予め定められた特定位置の何れかである場合に、表示画面の表示色を低明度色に変更し、当該表示画面を照光する照明の輝度を低減する表示制御ステップと
をコンピュータで実行させることを特徴とする携帯端末装置の処理プログラム。
【請求項５】
通信機能を備える携帯端末装置で実行されるプログラムであって、
着信時に無音報知するマナーモード機能が有効に設定されているか否かを判別するモード判別ステップと、
前記モード判別ステップにてマナーモード機能が有効に設定されていないと判別された場合に、予め設定された音あるいは光による報知方法で着信報知する第１の着信報知ステップと、
前記モード判別ステップにてマナーモード機能が有効に設定されていると判別された場合に、自装置周囲の明るさ又は自装置周囲の音量の何れかを検出する状況検出ステップと、
前記状況検出ステップにより検出された明るさが所定照度以下又は前記状況検出ステップにより検出された音量が所定音量以上の何れかである場合には振動による着信報知を行い、一方、前記状況検出ステップにより検出された明るさが所定照度を超えるか又は前記状況検出ステップにより検出された音量が所定音量未満の何れかの場合には光および振動による着信報知を行う第２の着信報知ステップと
をコンピュータで実行させることを特徴とする携帯端末装置の処理プログラム。
【発明の詳細な説明】
【技術分野】
【０００１】
本発明は、マナーモード機能を備える携帯端末装置および携帯端末装置の処理プログラムに関する。
【背景技術】
【０００２】
現在位置や周囲環境に応じて動作モードを自動的に切替える機能を具備した携帯端末装置が知られている。例えば特許文献１には、ＧＰＳ信号に基づき検出した現在位置が所定エリアに属すると、そのエリアに関連付けられている動作モードに自動的に切替える通信端末が開示されている。また、特許文献２には、周囲の明るさに応じてバックライト輝度を調節して表示装置の明るさを制御する通信端末が開示されている。
【０００３】
【特許文献１】特開２００３−２６４８７５号公報
【特許文献２】特開２００４−９６５９３号公報
【発明の開示】
【発明が解決しようとする課題】
【０００４】
ところで、無音着信報知するマナーモード機能を具備する携帯端末装置に、上記特許文献１や特許文献２に開示の技術を適用すると、例えば現在位置に応じた動作モードに自動的に切替えられてマナーモード機能の選択設定が無効化されたり、あるいはマナーモード機能を選択して表示の明るさを低減させているにもかかわらず、周囲の明るさに応じて表示の明るさを増加させてしまう等の弊害が生じてしまい、マナーモード機能選択中の状況に応じて表示制御することができない、という問題がある。
【０００５】
本発明は、このような事情に鑑みてなされたもので、マナーモードの設定状況のみならず周囲状況をも加味して表示画面の表示形態あるいは着信時の報知形態を適切に自動変更することができる携帯端末装置および携帯端末装置の処理プログラムを提供することを目的としている。
【課題を解決するための手段】
【０００６】
請求項１の発明では、通信機能を備える携帯端末装置において、着信時に無音報知するマナーモード機能が有効に設定されているか否かを判別するモード判別手段と、前記モード判別手段によりマナーモード機能が有効に設定されていないと判別された場合には予め設定された報知方法で着信報知し、一方、マナーモード機能が有効に設定されていると判別された場合には無音で着信報知する着信報知手段と、前記モード判別手段によりマナーモード機能が有効に設定されていると判別され、かつ照明点灯して表示画面を表示する場合に、自装置周囲の明るさ又はＧＰＳ信号に基づく現在位置の何れかを検出する状況検出手段と、前記状況検出手段により検出された明るさが所定照度以下又は前記状況検出手段により検出された現在位置が予め定められた特定位置の何れかである場合に、表示画面の表示色を低明度色に変更し、当該表示画面を照光する照明の輝度を低減する表示制御手段とを具備することを特徴とする。
上記請求項１に従属する請求項２記載の発明では、表示色変更の無効を指示する指示手段と、この指示手段の無効指示に応じて、表示画面の表示色を低明度色に変更し、当該表示画面を照光する照明の輝度を低減する前記表示制御手段の動作を無効化する無効化手段とを更に具備することを特徴とする。
請求項３記載の発明では、通信機能を備える携帯端末装置において、着信時に無音報知するマナーモード機能が有効に設定されているか否かを判別するモード判別手段と、前記モード判別手段によりマナーモード機能が有効に設定されていないと判別された場合に、予め設定された音あるいは光による報知方法で着信報知する第１の着信報知手段と、前記モード判別手段によりマナーモード機能が有効に設定されていると判別された場合に、自装置周囲の明るさ又は自装置周囲の音量の何れかを検出する状況検出手段と、前記状況検出手段により検出された明るさが所定照度以下又は前記状況検出手段により検出された音量が所定音量以上の何れかである場合には振動による着信報知を行い、一方、前記状況検出手段により検出された明るさが所定照度を超えるか又は前記状況検出手段により検出された音量が所定音量未満の何れかの場合には光および振動による着信報知を行う第２の着信報知手段とを具備することを特徴とする。
【００１１】
請求項４の発明では、通信機能を備える携帯端末装置で実行されるプログラムであって、着信時に無音報知するマナーモード機能が有効に設定されているか否かを判別するモード判別ステップと、前記モード判別ステップにてマナーモード機能が有効に設定されていないと判別された場合には予め設定された報知方法で着信報知し、一方、マナーモード機能が有効に設定されていると判別された場合には無音で着信報知する着信報知ステップと、前記モード判別ステップにてマナーモード機能が有効に設定されていると判別され、かつ照明点灯して表示画面を表示する場合に、自装置周囲の明るさ又はＧＰＳ信号に基づく現在位置の何れかを検出する状況検出ステップと、前記状況検出ステップにより検出された明るさが所定照度以下又は前記状況検出ステップにより検出された現在位置が予め定められた特定位置の何れかである場合に、表示画面の表示色を低明度色に変更し、当該表示画面を照光する照明の輝度を低減する表示制御ステップとをコンピュータで実行させることを特徴とする。
請求項５記載の発明では、通信機能を備える携帯端末装置で実行されるプログラムであって、着信時に無音報知するマナーモード機能が有効に設定されているか否かを判別するモード判別ステップと、前記モード判別ステップにてマナーモード機能が有効に設定されていないと判別された場合に、予め設定された音あるいは光による報知方法で着信報知する第１の着信報知ステップと、前記モード判別ステップにてマナーモード機能が有効に設定されていると判別された場合に、自装置周囲の明るさ又は自装置周囲の音量の何れかを検出する状況検出ステップと、前記状況検出ステップにより検出された明るさが所定照度以下又は前記状況検出ステップにより検出された音量が所定音量以上の何れかである場合には振動による着信報知を行い、一方、前記状況検出ステップにより検出された明るさが所定照度を超えるか又は前記状況検出ステップにより検出された音量が所定音量未満の何れかの場合には光および振動による着信報知を行う第２の着信報知ステップとをコンピュータで実行させることを特徴とする。
【発明の効果】
【００２１】
本発明では、マナーモードの設定状況のみならず周囲状況をも加味して表示画面の表示形態、あるいは着信時の報知形態を適切に自動変更することができる。
【発明を実施するための最良の形態】
【００２２】
以下、図面を参照して本発明の実施の形態について説明する。
Ａ．構成  
図１は、本発明の実施の一形態による携帯端末装置１００の構成を示すブロック図である。携帯端末装置１００は、例えば折畳み開閉タイプの本体構造を有し、その本体ケース（図示せず）には、送受信用のアンテナ２、音声発生用のスピーカ３、サブ画面およびメイン画面を形成するカラー液晶パネル等から構成される表示部４、キー入力部５、音声入力用のマイク６、着信報知するスピーカ９および振動によって着信通知するバイブレータ１０が設けられている。
【００２３】
キー入力部５には、各種専用スイッチと各種機能が割り当てられる機能スイッチとが設けられる。代表的な専用スイッチとして、パワーオンオフする電源スイッチ、通話開始／回線断時に操作されるオフフック／オンフックスイッチ、マナーモード機能の選択又は解除を指示するマナーモードキー、マナー表示動作（後述する）の解除を指示するマナー表示解除キー等が設けられている。無線送受信部１１は、アンテナ２を介して受信した高周波信号を増幅して次段の無線信号処理部１２に出力する一方、無線信号処理部１２から出力される送信信号を高周波増幅してアンテナ２から送出する。
【００２４】
無線信号処理部１２は、無線送受信部１１によって増幅された高周波信号を復調する一方、制御部１３から供給される送信データを変調した送信信号を発生する。制御部１３は、システムバスを介してコマンドおよびデータの授受を行ってこの装置全体を制御する。本発明の要旨に係わる制御部１３の動作については追って詳述する。加入者情報記憶部１４は、自己の電話番号の他、発信履歴や着信履歴などを記憶する。システムＲＯＭ１５は、制御部１３によって実行されるプログラムの他、待受画面等を形成する各種画面データを記憶している。なお、制御部１３によって実行されるプログラムとは、後述するメインルーチンおよびバックライト点灯処理を含む。メモリ１６は、制御部１３の処理に用いる各種レジスタ・フラグデータを一時記憶するワークエリアや、各種データを保存するデータエリアを備える。
【００２５】
音声信号処理部１７は、通話中の音声データを音声信号にＤ／Ａ変換してスピーカ３から発音させたり、マイク６から出力される音声信号を音声データにＡ／Ｄ変換して制御部１３に入力したりする。ドライバ１８は、制御部１３からの指示に従い着信報知用のスピーカ９およびバイブレータ１０を駆動する。ドライバ１９は、制御部１３からの指示に従い照光部２０を表示駆動する。照光部２０は、サブ画面およびメイン画面を形成する各液晶パネルの光源となるバックライト、着信表示用ＬＥＤおよびキー照光用ＬＥＤを含み、ドライバ１９から供給される表示駆動信号に応じた輝度レベルで点灯する。ＧＰＳ受信部７は、制御部１３の指示に応じて、ＧＰＳ信号を受信して現在位置を表す位置データを発生して制御部１３に出力する。照度センサ８は、例えばフォトセンサ等から構成され、照度を検出して制御部１３に出力する。開閉スイッチ２１は、ユーザの折畳み開閉操作に応じたオンオフ信号を発生して制御部１３に出力する。
【００２６】
Ｂ．動作  
次に、図２〜図５を参照して上記構成による携帯端末装置１００の動作を説明する。以下では、最初にメインルーチンの動作を説明した後、このメインルーチンからコールされるバックライト点灯処理の動作について述べる。
【００２７】
（１）メインルーチンの動作
図２〜図４は、メインルーチンの動作を示すフローチャートである。電源オフで折り畳まれた状態の携帯端末装置１００がユーザにより開操作されてパワーオンされると、制御部１３は図２に図示するメインルーチンのステップＳＡ１を実行する。ステップＳＡ１では、位置登録制御シーケンスを実行して網側に位置登録を行った後、待受け状態に入る位置登録待受処理を実行する。続いて、ステップＳＡ２では、例えばマナーモード機能が選択されている状態で周囲の照度が暗ければ、画面表示色を低明度に変更しつつ表示輝度を暗くするマナー表示態様に設定するバックライト点灯処理を実行する。こうしたバックライト点灯処理の詳細については追って詳述する。次に、ステップＳＡ３では、表示部４のメイン画面およびサブ画面に待受画面を表示する待受表示状態に遷移する。そして、ステップＳＡ４に進み、着信の有無を判断する。以下、着信有りの場合と着信無しの場合とに分けて動作説明を進める。
【００２８】
ａ．着信有りの場合
着信が有ると、ステップＳＡ４の判断結果が「ＹＥＳ」になり、ステップＳＡ５に進み、マナーモード機能が選択されているか否か判断する。マナーモード機能が選択されていなければ、判断結果は「ＮＯ」になり、ステップＳＡ６に進む。続いて、ステップＳＡ６〜ＳＡ８では、オフフック操作されるまで、着信音を再生させながら着信ライト（着信表示用ＬＥＤ）を点滅させる通常の着信報知を行う。そして、着信報知中にユーザがオフフック操作すると、ステップＳＡ８の判断結果が「ＹＥＳ」となり、ステップＳＡ９に進み、発呼側と回線接続して通話を開始する通話処理を行う。この後、通話を終えて回線を断つと、上記ステップＳＡ３に処理を戻して待受表示状態に復帰する。
【００２９】
一方、マナーモード機能が選択されていると、上記ステップＳＡ５の判断結果は「ＹＥＳ」になり、ステップＳＡ１０に進む。ステップＳＡ１０では、照度センサ８の出力に基づき照度を検出する。次いで、ステップＳＡ１１では、検出した照度が所定以下であるかどうかを判断する。検出した照度が所定以下である場合、例えば周囲が薄暗い状況であると、判断結果は「ＹＥＳ」となり、ステップＳＡ１２に進む。ステップＳＡ１２〜ＳＡ１３では、着信ライトは点滅させずにバイブレータ１０を振動させる着信報知を、オフフック操作されるまで継続させる。そして、この着信報知中にユーザがオフフック操作すると、ステップＳＡ１３の判断結果が「ＹＥＳ」となり、ステップＳＡ９に進み、発呼側と回線接続して通話を開始する通話処理を行い、通話を終えて回線を断つと、上記ステップＳＡ３の待受表示状態に復帰する。
【００３０】
これに対し、検出した照度が所定照度より高く、周囲が明るい状況ならば、上記ステップＳＡ１１の判断結果が「ＮＯ」になり、ステップＳＡ１４に進み、マイク６の出力に基づき音量を検出する。次いで、ステップＳＡ１５では、検出した音量が所定以上であるかどうかを判断する。検出した音量が所定以上である場合、つまり周囲が騒がしい環境であると、判断結果は「ＹＥＳ」となり、上述したステップＳＡ１２に進み、着信ライトは点滅させずにバイブレータ１０を振動させる着信報知を行う。
【００３１】
一方、検出した音量が所定以下である場合、つまり周囲が静寂な環境ならば、上記ステップＳＡ１５の判断結果は「ＮＯ」になり、ステップＳＡ１６に進む。ステップＳＡ１６〜ＳＡ１７では、着信ライトを点滅させながら、バイブレータ１０を振動させる通常のマナーモード着信報知を、オフフック操作されるまで継続させる。そして、この着信報知中にユーザがオフフック操作すると、ステップＳＡ１７の判断結果が「ＹＥＳ」となり、ステップＳＡ９に進み、発呼側と回線接続して通話を開始する通話処理を行い、通話を終えて回線を断つと、上記ステップＳＡ３の待受表示状態に復帰する。
【００３２】
ｂ．着信無しの場合
着信無しの場合には、前述したステップＳＡ４の判断結果が「ＮＯ」になり、制御部１３は図３に図示するステップＳＡ１８に処理を進める。ステップＳＡ１８では、開閉スイッチ８の出力に基づき折り畳み開閉操作の有無を検出する。以下、開閉操作が行われた場合と開閉操作が行われない場合とに分けて動作説明を進める。
【００３３】
＜開閉操作が行われた場合＞
折り畳み開閉操作されると、ステップＳＡ１８の判断結果は「ＹＥＳ」となり、ステップＳＡ１９に進む。ステップＳＡ１９では、開状態から閉状態への操作であるかどうかを判断する。閉状態から開状態への操作ならば、判断結果は「ＮＯ」になり、ステップＳＡ２０に進み、照光部２０のサブ画面表示用バックライトをオフするようにドライバ１９に指示する。これにより本体背面側に配設されるサブ画面用の液晶パネルの表示がオフされる。この後、図２に図示するステップＳＡ２を介して後述のバックライト点灯処理を実行する。
【００３４】
一方、開状態から閉状態への操作であると、上記ステップＳＡ１９の判断結果は「ＹＥＳ」になり、ステップＳＡ２１に進み、照光部２０のメイン画面表示用バックライトをオフするようにドライバ１９に指示する。これにより本体表面側に配設されるメイン画面用の液晶パネルの表示がオフされる。続いて、ステップＳＡ２２では、マナーモード機能が選択されているか否かを判断する。マナーモード機能が選択されていなければ、判断結果は「ＮＯ」になり、ステップＳＡ２３に進み、照光部２０のサブ画面表示用バックライトを標準レベルで点灯するようドライバ１９に指示する。そして、ステップＳＡ２４に進み、表示すべき内容を表示部４のサブ画面に表示した後、前述したステップＳＡ３（図２参照）の待受表示状態となる。なお、本実施の形態では、バイックライトの輝度レベルを「５（明）」〜「１（暗）」の５段階を想定しており、標準レベルとは、その中の「３」段階に相当する。
【００３５】
これに対し、マナーモード機能が選択されていると、上記ステップＳＡ２２の判断結果は「ＹＥＳ」になり、ステップＳＡ２５に進み、照度センサ８の出力に基づき照度を検出する。次いで、ステップＳＡ２６では、検出した照度が所定以下であるかどうかを判断する。検出した照度が所定照度より高く、周囲が明るい状況ならば、上記ステップＳＡ２６の判断結果は「ＮＯ」になり、ステップＳＡ２３に進み、照光部２０のサブ画面表示用バックライトを標準レベルで点灯するようドライバ１９に指示した後、ステップＳＡ２４に進み、表示すべき内容を表示部４のサブ画面に表示してステップＳＡ３（図２参照）の待受表示状態に戻る。
【００３６】
一方、検出した照度が所定照度以下である場合、例えば周囲が薄暗い状況であると、上記ステップＳＡ２６の判断結果は「ＹＥＳ」となり、ステップＳＡ２７に進む。ステップＳＡ２７では、表示部４のサブ画面の表示色を低明度の色（黒色や灰色等）に変更する。次いで、ステップＳＡ２８では、サブ画面表示用バックライトを最低レベルで点灯するようドライバ１９に指示した後、ステップＳＡ２４に進み、表示すべき内容を表示部４のサブ画面に表示してステップＳＡ３（図２参照）の待受表示状態に戻る。
【００３７】
＜開閉操作が行われない場合＞
開閉操作が行われない場合には、上述したステップＳＡ１８の判断結果が「ＮＯ」になり、制御部１３は図４に図示するステップＳＡ２９に処理を進める。ステップＳＡ２９では、キー入力部５におけるキー操作の有無を判断する。キー操作されなければ、判断結果は「ＮＯ」になり、前述したステップＳＡ３（図２参照）の待受表示状態に戻る。キー操作されると、判断結果は「ＹＥＳ」になり、ステップＳＡ３０に進む。ステップＳＡ３０では、マナーモードキー操作の有無を判断する。マナーモードキーが操作された場合には、判断結果が「ＹＥＳ」になり、ステップＳＡ３１に進み、現在マナーモード機能が選択中であるかどうかを判断する。
【００３８】
現在マナーモード機能が選択されていなければ、判断結果は「ＮＯ」になり、ステップＳＡ３２に進み、マナーモード機能を選択設定した後、前述したステップＳＡ３（図２参照）の待受表示状態に戻る。一方、現在マナーモード機能が選択中であると、上記ステップＳＡ３１の判断結果が「ＹＥＳ」になり、ステップＳＡ３３に進み、マナーモード機能の選択を解除した後、前述したステップＳＡ３（図２参照）の待受表示状態に戻る。
【００３９】
これに対し、マナーモードキーの操作でない場合には、上記ステップＳＡ３０の判断結果は「ＮＯ」になり、ステップＳＡ３４に進む。ステップＳＡ３４では、バックライトレベル設定キーの操作であるか否かを判断する。バックライトレベル設定キーの操作であると、判断結果は「ＹＥＳ」になり、ステップＳＡ３５に進む。ステップＳＡ３４〜ＳＡ３６では、設定可能レベルを表示し、その表示された設定可能レベルの中から所望のバックライトレベルを選択する。そして、ステップＳＡ３７では、選択したバックライトレベルをメモリ１６のデータエリアに登録する。この後、前述したステップＳＡ３（図２参照）の待受表示状態に戻る。
【００４０】
一方、バックライトレベル設定キーの操作でなければ、上記ステップＳＡ３４の判断結果は「ＮＯ」になり、ステップＳＡ３８に進む。ステップＳＡ３８では、マナー表示解除キーの操作であるか否かを判断する。マナー表示解除キーの操作でなければ、判断結果は「ＮＯ」になり、ステップＳＡ４１に進み、その他のキー操作に応じた処理を実行した後、前述したステップＳＡ３（図２参照）の待受表示状態に戻る。これに対し、マナー表示解除キーの操作であると、上記ステップＳＡ３８の判断結果が「ＹＥＳ」になり、ステップＳＡ３９に進み、マナー表示解除フラグをオン設定する。次いで、ステップＳＡ４０では、表示ライトを設定レベルで点灯する。この後、前述したステップＳＡ３（図２参照）の待受表示状態に戻る。
【００４１】
（２）バックライト点灯処理の動作
次に、図５を参照してバックライト点灯処理の動作を説明する。上述したメインルーチンのステップＳＡ２（図２参照）を介して本処理が実行されると、制御部１３は、図５に図示するステップＳＢ１に処理を進め、マナーモード機能が選択されているか否かを判断する。マナーモード機能が選択されていなければ、判断結果は「ＮＯ」になり、ステップＳＢ２に進み、照光部２０のメイン画面表示用バックライトを設定レベルで点灯するようドライバ１９に指示した後、メインルーチンに処理を戻す。
【００４２】
一方、マナーモード機能が選択されていると、上記ステップＳＢ１の判断結果は「ＹＥＳ」になり、ステップＳＢ３に進む。ステップＳＢ３では、マナー表示解除フラグがオン設定されているか否かを判断する。前述したステップＳＡ３９（図４参照）にてマナー表示解除フラグがオン設定されていれば、判断結果が「ＹＥＳ」となり、マナーモード機能が選択されていない場合と同様に、ステップＳＢ２に進み、照光部２０のメイン画面表示用バックライトを設定レベルで点灯するようドライバ１９に指示した後、メインルーチンに処理を戻す。
【００４３】
これに対し、マナー表示解除フラグがオン設定されていなければ、上記ステップＳＢ３の判断結果は「ＮＯ」になり、ステップＳＢ４に進む。ステップＳＢ４では、照光部２０のメイン画面表示用バックライトの設定レベルが５段階中の「３（標準レベル）」以上であるか否かを判断する。標準レベル以上であると、判断結果は「ＹＥＳ」になり、後述のステップＳＢ７に進むが、標準レベル未満ならば、判断結果が「ＮＯ」になり、ステップＳＢ５に進み、照度センサ８の出力に基づき照度を検出する。
【００４４】
次いで、ステップＳＢ６では、検出した照度が所定照度以下であるかどうかを判断する。検出した照度が所定照度以下である場合、例えば周囲が薄暗い状況であると、判断結果は「ＹＥＳ」となり、ステップＳＢ７に進む。ステップＳＢ７では、表示部４のメイン画面の表示色を低明度の色（黒色や灰色等）に一時変更する。そして、ステップＳＢ８では、照光部２０のメイン画面表示用バックライトを最低レベルで点灯させた後、メインルーチンに処理を戻す。
【００４５】
一方、検出した照度が所定より高く、周囲が明るい状況ならば、上記ステップＳＢ６の判断結果が「ＮＯ」になり、ステップＳＢ９に進む。ステップＳＢ９では、ＧＰＳ受信部７の出力に基づき現在位置を検出する。そして、ステップＳＢ１０では、検出した現在位置が特定位置であるかどうかを判断する。特定位置であると、判断結果は「ＹＥＳ」となり、上記ステップＳＢ７〜ＳＢ８を実行し、表示部４のメイン画面の表示色を低明度の色（黒色や灰色等）に一時変更すると共に、照光部２０のメイン画面表示用バックライトを最低レベルで点灯させるようにドライバ１９に指示する。
【００４６】
これに対し、検出した現在位置が特定位置でなければ、上記ステップＳＢ１０の判断結果は「ＮＯ」になり、ステップＳＢ１１に進み、マイク６の出力に基づき音量を検出する。次いで、ステップＳＢ１２では、検出した音量が所定以下であるかどうかを判断する。検出した音量が所定以下である場合、つまり静かな環境であると、判断結果は「ＮＯ」となり、上述したステップＳＢ２に進み、照光部２０のメイン画面表示用バックライトを設定レベルで点灯するようドライバ１９に指示した後、メインルーチンに処理を戻す。一方、検出した音量が所定より大きく、周囲が騒がしい環境ならば、上記ステップＳＢ１２の判断結果は「ＹＥＳ」になり、ステップＳＢ１３に進み、照光部２０のメイン画面表示用バックライトを設定レベルより一段低減したレベルで点灯するようドライバ１９に指示した後、メインルーチンに処理を戻す。
【００４７】
以上のように、本実施の形態では、装置電源の投入に応じて、照光部２０（メイン画面表示用バックライト）を点灯させて表示部４（メイン画面）に画面表示する際に、マナーモード機能選択中であって、しかも所定の状況下（周囲の明るさが所定照度以下の場合や、現在位置が予め特定された位置に居る場合）ならば、メイン画面の表示色を黒色又は灰色などの低明度色に変更してメイン画面表示用バックライトを最低レベルの輝度で点灯させるマナー表示を行い、一方、所定の状況下でなければ通常表示を行うので、マナーモード機能選択中の状況に応じて表示制御することができる。こうすることで、例えば映画館内やプロジェクタ使用中の会議室などの光洩れが気になるシチュエーションで携帯電話を使用する際の周囲への迷惑緩和を図ることができる。
【００４８】
また、本実施の形態では、着信時に、マナーモード機能選択中であって、しかも所定の状況下（周囲の明るさが所定照度以下の場合や、周囲の音量が所定音量以上の場合）ならば、着信ライト点滅をオフしたバイブ着信報知を行い、所定の状況下でなければ通常のマナーモード着信報知を行うので、マナーモード機能選択中の状況に応じて表示制御することができる。
【００４９】
さらに、本実施の形態では、折り畳み開閉タイプの本体構造を有し、折り畳み閉操作時に、マナーモード機能選択中であって、しかも所定の状況下（周囲の明るさが所定照度以下の場合）ならば、サブ画面の表示色を黒色又は灰色などの低明度色に変更してサブ画面表示用バックライトを最低レベルの輝度で点灯させるマナー表示を行い、一方、所定の状況下でなければサブ画面を通常表示させるので、マナーモード機能選択中の状況に応じて表示制御することができる。
【００５０】
なお、上述した実施の形態では、マナー表示する際に、画面の表示色を黒色又は灰色などの低明度色に変更するようにしたが、これに限らず明度および彩度が共に低い色に変更するようにしても構わない。また、マナー表示する際に、画面表示用バックライトを最低レベルの輝度で点灯させるようにしたが、これに替えて、バックライトの発光色を視感度の低い色（例えば赤色）に変化させて点灯する態様としてもよい。
【００５１】
加えて、上述した実施の形態では、説明の簡略化を図る為、音声通話に係わるメインルーチンの動作について言及したが、本発明の要旨は音声通話に限定されるものではなく、メール着信時の処理にも勿論適用可能であることは言うまでもない。
【図面の簡単な説明】
【００５２】
【図１】本発明による実施の一形態の構成を示すブロック図である。
【図２】メインルーチンの動作を示すフローチャートである。
【図３】メインルーチンの動作を示すフローチャートである。
【図４】メインルーチンの動作を示すフローチャートである。
【図５】バックライト点灯処理の動作を示すフローチャートである。
【符号の説明】
【００５３】
２  アンテナ
３  スピーカ
４  表示部
５  キー入力部
６  マイク
７  ＧＰＳ受信部
８  照度センサ
９  スピーカ
１０  バイブレータ
１１  無線送受信部
１２  無線信号処理部
１３  制御部
１４  加入者情報記憶部
１５  システムＲＯＭ
１６  メモリ
１７  音声信号処理部
１８〜１９  ドライバ
２０  照光部
２１  開閉スイッチ
【図１】
0004496547.tif 000002
【図２】
0004496547.tif 000003
【図３】
0004496547.tif 000004
【図４】
0004496547.tif 000005
【図５】
0004496547.tif 000006